【手続補正書】
【提出日】平成20年12月5日(2008.12.5)
【手続補正１】
【補正対象書類名】特許請求の範囲
【補正対象項目名】全文
【補正方法】変更
【補正の内容】
【特許請求の範囲】
【請求項１】
屋外の床下地に設置されてドレインホースからのドレイン水を受けて流して排水するための、ドレイン排水溝部材において、ドレイン水を流すための長手方向に延びた中空状排水路を有し、かつ、前記中空状排水路の少なくとも一方の側部の外面には横方向に張り出した張出部が形成されており、前記張出部が、横方向に向かって下方へ傾斜する傾斜部分を有することを特徴とするドレイン排水溝部材。
【請求項２】
床材と、ドレインホースからのドレイン水を受けて流して排水するための、ドレイン排水溝部材とが、床下地上に設置された、ドレイン排水床構造において、
ドレイン水を流すための長手方向に延びた中空状排水路を有し、かつ、前記中空状排水路の少なくとも一方の側部には横方向に張り出した張出部が形成されており、前記張出部が、横方向に向かって下方へ傾斜する傾斜部分を有し、前記張出部の少なくとも端部が上方向及び／又は下方向に可動となるように、前記張出部と中空状排水路を有する本体部との間に溝部が設けられたことを特徴とする、ドレイン排水溝部材が、床下地に設置されており、
少なくとも一方の前記張出部の端部が、上方向及び／又は下方向に移動して、傾斜している床下地上に設置されており、
前記ドレイン排水溝部材を覆うように床材が設けられたことを特徴とするドレイン排水床構造。
【手続補正２】
【補正対象書類名】明細書
【補正対象項目名】全文
【補正方法】変更
【補正の内容】
【発明の詳細な説明】
【発明の名称】ドレイン排水溝部材及びドレイン排水床構造
【技術分野】
【０００１】
本発明は、ドレイン排水溝部材及びドレイン排水床構造に関するものであり、より具体的には、ドレイン水を受けて排水するばかりでなく、前記ドレイン排水溝部材の設置部に段差を生じさせないドレイン排水溝部材と、床下地に設置した前記ドレイン排水溝部材に床材を覆うように設けることにより、床面の美観を損なうことなくドレイン水が排水可能な、ドレイン排水床構造と、に関する。
【背景技術】
【０００２】
従来、マンション等の集合住宅の共通廊下やベランダ等である屋外には、通常、冷暖房機の外機が設置されている。そして、外機からは、ドレインホースを通じてドレイン水が排出されている。
【０００３】
ところで、ドレイン水をそのまま屋外の床面に垂れ流すと、ドレイン水が床面に広がっていくため、ドレイン水の広がった場所に埃や砂等が付着し、床面に、汚れやしみができたりカビが発生したりしていた。また、ドレイン水により床面が濡れることにより、滑りやすくなり、歩行者の転倒事故が発生しやすくなり、安全性の観点からも好ましくなかった。
【０００４】
そこで、上記問題点を解決するため、ドレインホースからのドレイン水を排出するための溝状の排水路を設けたドレイン排水溝部材が提供されている（特許文献１）。また、当該ドレイン排水溝部材の改良技術として、排水路を管状体とし、かつ、前記短冊形部材における管状体の両側に幅２ｍｍ以上の熱溶着作業用領域を設けた、ドレイン排水溝部材が、提供されている（特許文献２）。
【特許文献１】特開平１０−４６７６２号公報
【特許文献２】特開２０００−１３６６０２号公報
【発明の開示】
【発明が解決しようとする課題】
【０００５】
一般に、ドレイン排水溝部材では、床材とともに床下地に施工する際、ドレイン排水溝部材を設置する部分の床材を切り欠いて施工するか、或いは、当該部分を開けて床材を施工しなければならない。上記ドレイン排水溝部材では、その側面と隣接する床材とを熱溶着等の接合処理を行わなければならなかった。従って、かなり正確に計測して、ドレイン排水溝部材を設置する部分を当該ドレイン排水溝部材の幅に合わせるという施工をしなければならず、きわめて煩雑であった。  
【０００６】
また、上記ドレイン排水溝部材では、床材とともに施工した場合に、ドレイン排水溝部材と床材との段差が生じるため、歩行者が躓いて転倒する危険性があり、安全上の観点から改善が望まれていた。
【０００７】
さらに、床面には種種の模様、色彩等、即ち意匠を有する床材が使用されるため、従来のドレイン排水溝部材では、隣接する床材の意匠と違和感が生じる等、床面全体の意匠性を低下させてしまうことがあった。
【課題を解決するための手段】
【０００８】
本願の第１発明は、屋外の床下地に設置されてドレインホースからのドレイン水を受けて流して排水するための、ドレイン排水溝部材において、ドレイン水を流すための長手方向に延びた中空状排水路を有し、かつ、前記中空状排水路の少なくとも一方の側部の外面には横方向に張り出した張出部が形成されており、前記張出部が、横方向に向かって下方へ傾斜する傾斜部分を有することを特徴とするドレイン排水溝部材を、提供するものである。尚、本明細書において、張出部とは、中空状排水路の側面の最も横方向に位置する部分よりさらに横方向に張り出した部分をいう。また、床材とは、合成樹脂、石材、又は陶器からなるタイル、又はポリ塩化ビニル樹脂、ポリオレフィン樹脂等の熱可塑性樹脂からなるシートをいう。また、貼着剤とは、接着剤、粘着剤、シーリング剤をいう。さらに、設置とは、接着剤、粘着剤、シーリング剤等の貼着剤、及び両面テープによる貼着の他、吸着性を有する発泡シート等による吸着、不織布、ウレタン樹脂等防滑性を有する層を床下地と当接させることによる置き敷きを含む施工をいう。
前記第１発明は、更に、次の構成（Ａ）〜（Ｄ）を採用するのが好ましい。
【０００９】
（Ａ）前記張出部の少なくとも端部が上方向及び／又は下方向に可動となるように、前記張出部と中空状排水路を有する本体部との間に、溝部が設けられたことを特徴とする。この構成では、ドレイン排水溝部材によって生じる段差を解消するための張出部が、前記中空状排水路の少なくとも一方の側部の外面に、形成されている。ここで、本体部とは、本発明ドレイン排水溝部材に溝部が形成された場合において、前記溝部を隔てて中空状排水路を有する部分をいう。
【００１０】
【００１１】
（Ｂ）前記中空状排水路の上面を形成する部分の外部表面が、前記中空状排水路の幅方向に対して両側部方向に向かって下方へ傾斜している傾斜部分を有する。
【００１２】
（Ｃ）前記張出部に、前記中空状排水路の底面を形成する部分の外部表面と略同一平面に位置する面を有する。
【００１３】
（Ｄ）前記中空状排水路の底面を形成する部分の外部表面、及び／又は、前記張出部の裏面の少なくとも一部に、凹部及び／又は凸部が形成されている。
【００１４】
本願の第２発明は、床材と、ドレインホースからのドレイン水を受けて流して排水するための、ドレイン排水溝部材とが、床下地上に設置された、ドレイン排水床構造において、ドレイン水を流すための長手方向に延びた中空状排水路を有し、かつ、前記中空状排水路の少なくとも一方の側部には横方向に張り出した張出部が形成されており、前記張出部が、横方向に向かって下方へ傾斜する傾斜部分を有し、前記張出部の少なくとも端部が上方向及び／又は下方向に可動となるように、前記張出部と中空状排水路を有する本体部との間に溝部が設けられたことを特徴とする、ドレイン排水溝部材が、床下地に設置されており、少なくとも一方の前記張出部の端部が、上方向及び／又は下方向に移動して、傾斜している床下地上に設置されており、前記ドレイン排水溝部材を覆うように床材が設けられたことを特徴とするドレイン排水床構造を提供するものである。
前記第２発明は、更に、次の構成（Ｅ）〜（Ｇ）を採用するのが好ましい。
【００１５】
【００１６】
（Ｅ）前記ドレイン排水溝部材の前記中空状排水路の上面を形成する部分の外部表面が、前記中空状排水路の幅方向に対して両側部方向に向かって下方へ傾斜している傾斜部分を有する。
【００１７】
（Ｆ）前記ドレイン排水溝部材の張出部に、前記中空状排水路の底面を形成する部分の外部表面と略同一平面に位置する面を有する。
【００１８】
（Ｇ）前記ドレイン排水溝部材の前記中空状排水路の底面を形成する部分の外部表面、及び／又は、前記張出部の裏面の、少なくとも一部に、凹部及び／又は凸部が形成されている。
【発明の効果】
【００１９】
前記第１発明によれば、本発明ドレイン排水溝部材を構成する中空状排水路の少なくとも一方の側部の外面には傾斜部分を有することから、本発明ドレイン排水溝部材を設置することにより、張出部を有する側には段差を生じることがない。従って、歩行者がドレイン排水溝部材によって生ずる段差により躓いたり、又は転倒したりすることを防止することができ、歩行者の安全性をより向上させることができる。
【００２０】
前記構成（Ａ）によれば、中空状排水路が設けられている本体部と張出部との間に溝部が形成されているため、当該溝部により、張出部の少なくとも端部が可動となり、床下地が平面部のみならず、本発明ドレイン排水溝部材の床下地の横方向に傾きがある場合であっても無理なく本発明ドレイン排水溝部材を設置することができる。また、例えば、本発明ドレイン排水溝部材を壁面に沿わせて施工する必要があるため、一方の張出部が不要である場合には、金属製のものさし等を使用せずとも、溝部にカッターナイフの刃を挿入して容易かつ美麗に切断することができる。
【００２１】
前記構成（Ｂ）によれば、前記中空状排水路の上面を形成する部分の外部表面が、前記中空状排水路の幅方向に対して両側部方向に向かって下方へ傾斜している傾斜部分を有しているため、本発明ドレイン排水溝部材によって生じる段差をより緩やかな傾斜によって解消することができる。また、前記張出部のみに傾斜部分が設けられている場合と比較して、前記張出部の横方向への幅が小さくすることが可能であるため、本発明ドレイン排水溝部材の小型化、軽量化に寄与することができ、作業時のハンドリング性もよくなることから、施工効率の向上も可能である。さらに、前記張出部のみに傾斜部分が設けられている場合と比較して、段差を解消するための傾斜する角度が同じであれば、同一幅で中空状排水路の幅を広げることができ、ドレイン水の排水効率を向上させることができる。
【００２２】
前記構成（Ｃ）によれば、前記張出部に前記中空状排水路の底面を形成する部分の外部表面と略同一平面に位置する面を有しているため、床下地への本発明ドレイン排水溝部材の貼着安定性に優れている。
【００２３】
前記構成（Ｄ）によれば、前記中空状排水路の底面を形成する部分の外部表面、及び／又は前記張出部の裏面の少なくとも一部に凹部、及び／又は凸部が形成されているため、本発明ドレイン排水溝部材の可撓性を向上させることができる。従って、当該可撓性の向上により、本発明ドレイン排水溝部材のハンドリング性が良くなり、施工作業性向上に寄与することができる。
【００２４】
前記第２発明によれば、前記ドレイン排水溝部材を覆うように床材を設置するため、ドレイン排水溝部材との段差が生じにくい。また、前記ドレイン排水溝部材が床面に露出しないため、床材の有する意匠を損なうことがなく、床材の有する意匠如何に関わらず前記ドレイン排水溝部材を設置することができる。
【００２５】
また、前記ドレイン排水溝部材の張出部と本体部との間に、溝部が、前記張出部の少なくとも端部が可動となるように設けられているため、前記ドレイン排水溝部材を設置する際に床下地に傾斜が存在している場合でも前記ドレイン排水溝部材を安定的に設置することができ、加えて前記ドレイン排水溝部材を覆うように床材を設置することができることから、設置後の床面にも違和感を生じることなくドレイン排水溝部材を設置することができる。
【００２６】
前記構成（Ｅ）によれば、前記中空状排水路の上面を形成する部分の外部表面の幅方向に対して両側部方向に向かって下方へ傾斜している傾斜部分を有しているため、ドレイン排水溝部材によって生じる段差をより緩やかな傾斜によって解消することができる。また、前記張出部のみに傾斜部分が設けられている場合と比較して、段差を解消するための傾斜する角度が同じであれば、同一幅で中空状排水路の幅を広げることができ、ドレイン水の排水効率を向上させることができる。
【００２７】
前記構成（Ｆ）によれば、前記張出部に前記中空状排水路の底面を形成する部分の外部表面と略同一平面に位置する面を有しているため、床材下部に設置されたドレイン排水溝部材の床下地への貼着安定性に優れている。
【００２８】
前記構成（Ｇ）によれば、前記中空状排水路の底面を形成する部分の外部表面、及び／又は、前記張出部の裏面の、少なくとも一部に、凹部及び／又は凸部が形成されているため、ドレイン排水溝部材を貼着剤で貼着する際、前記貼着剤の過剰塗布があった場合でも、ドレイン排水溝部材裏面の凹部に前記貼着剤が入り込むため、貼着剤のはみだし現象や、塗布した貼着剤がドレイン排水溝部材の貼着面に十分に広がらない、といった問題が生じることがない。
【発明を実施するための最良の形態】
【００２９】
以下、本発明を実施するための最良の形態について図面を参照しつつ詳述する。図１は本発明ドレイン排水溝部材の一例の断面図を示す。本発明ドレイン排水溝部材１には、ドレイン水を排水するための中空状排水路４が設けられ、前記中空状排水路４の外面の少なくとも一方の側部には、横方向に張り出した張出部３、３´が設けられている。
【００３０】
本発明ドレイン排水溝部材１を構成する張出部３、３´には、横方向に向かって傾斜部分２、２´が形成されている。本発明ドレイン排水溝部材１を構成する張出部３、３´に形成された傾斜部分２、２´は、中空状排水路４による段差を解消できればよく、図１に示すように張出部３、３´全体に形成されてもよいし、部分的に形成されてもよい。
【００３１】
さらに、本発明ドレイン排水溝部材を構成する傾斜部分を張出部は、図１に示すように中空状排水路の両側面の外面に設けてもよいし、前記中空状排水路の何れか一方の側面の外面に設けてもよい。
【００３２】
本発明ドレイン排水溝部材を構成する張出部を前記中空状排水路の両側部の外面に設けた場合には、前記中空状排水路による両側の段差を前記張出部によって解消することができる。従って、本発明ドレイン排水溝部材を例えば廊下を横断するように設置した場合には、当該ドレイン排水溝部材の上の歩行者の安全性を向上させることができる。
【００３３】
また、本発明ドレイン排水溝部材を構成する張出部を前記中空状排水路の一方の側部の外面に設けた場合には、前記中空状排水路による片側の段差を前記張出部によって解消することができる。従って、例えば、壁面等に沿わせて本発明ドレイン排水溝部材を設置する場合に、段差が目立たないため、美観を損なわず、床面の意匠上有効である。
【００３４】
また、本発明ドレイン排水溝部材に設けられる中空状排水路は、ドレイン水を導水し、排水できればよく、当該中空状排水路の断面形状は、図１に示す矩形に限られず、円形、楕円形であってもよい。さらに、導水性能の向上のため、中空状排水路の底面に、長手方向に一又は二以上の、溝部又は凸部を、設けてもよいし、前記溝部及び凸部の双方を、設けてもよい。
【００３５】
また、本発明ドレイン排水溝部材を構成する素材は、ポリ塩化ビニル樹脂、ポリエチレン樹脂、ポリエステル樹脂、又はエチレン−酢酸ビニル共重合樹脂等の熱可塑性樹脂の他、フェノール樹脂、メラミン樹脂等の熱硬化性樹脂、及びＳＢＲ、ＣＲ等の熱可塑性エラストマー、さらには、金属類、セラミクスであってもよい。また、運送時及び施工時の取り扱いの容易性の見地から、可撓性を付与できる素材、例えば、ポリ塩化ビニル樹脂、ポリエチレン樹脂、又はポリ塩化ビニル樹脂、若しくはポリエチレン樹脂とエチレン−酢酸ビニル共重合樹脂を混合した樹脂やＳＢＲ、ＣＲ等の熱可塑性エラストマーを、好ましく用いることができる。
【００３６】
また、本発明ドレイン排水溝部材を構成する中空状排水路を有する部材と張出部とを、別部材とし、少なくとも施工時に接合可能に設けてもよい。図２に、本発明ドレイン排水溝部材の他の実施形態として、張出部を接合した状態の断面図を示す。図２に示すように、張出部３、３´の接合部Ｐ２、Ｐ２´を境に張出部２３、２３´が接合可能に設けられている。本発明ドレイン排水溝部材において、張出部を接合可能に設けることにより、本発明ドレイン排水溝部材を設置する際、施工現場の状況に応じて、前記張出部を中空状排水路側面の外面の一方の側のみに設けるか、又は、両方の側に設けるか、を選択することができ、施工の際の自由度を向上させることができる。
【００３７】
本発明ドレイン排水溝部材において、張出部を少なくとも施工時に接合可能にする手段としては、図２に示す接合部Ｐ２、Ｐ２´で、中空状排水路を有する本体部２６によって形成される面と、張出部２３、２３´によって形成される面と、を当接させて、床下地に接着剤等により貼着等することによって、又は、接合部Ｐ２，Ｐ２´で本体部２６と張出部２３，２３´とを貼着等することによって、接合することもできる。また、本体部と張出部とが面する部分に、互いに嵌合可能な、凹部及び凸部を、設けることで、本体部に張出部を接合可能に設けてもよい。
【００３８】
また、本発明ドレイン排水溝部材に設けられる中空状排水路は、ドレイン水を導水し、排水できればよく、当該中空状排水路の断面形状は、図１に示す矩形に限られず、円形、楕円形であってもよい。さらに、導水性能の向上のため、中空状排水路の底面に、長手方向に一又は二以上の、溝部又は凸部を、設けてもよいし、前記溝部及び凸部の双方を、設けてもよい。
【００３９】
本発明ドレイン排水溝部材の他の実施形態として、本発明ドレイン排水溝部材を構成する張出部の少なくとも端部が上方向及び／又は下方向に可動となるように、前記張出部と中空状排水路を有する本体部との間に、溝部を設けてもよい。
【００４０】
図３に、本発明ドレイン排水溝部材を構成する張出部の端部が上方向に可動となるように、前記張出部と中空状排水路を有する本体部との間に、上方向に向かって溝部が設けられた、一例の断面図を、示す。本発明ドレイン排水溝部材の本実施形態では、中空状排水路３４が設けられている本体部３６と張出部３３、３３´との間に、上方向に向かって溝部Ｍ３、Ｍ３´が形成されている。当該溝部Ｍ３、Ｍ３´により、張出部３３、３３´の端部が上方へ可動となり、床下地が平面部のみならず、本発明ドレイン排水溝部材の床下地の横方向に上方向に傾きがある場合であっても、無理なく、本発明ドレイン排水溝部材を設置することができる。
【００４１】
また、本発明ドレイン排水溝部材の本実施形態では、例えば、本発明ドレイン排水溝部材を壁面に沿わせて施工する必要があるため、一方の張出部が不要である場合には、金属製のものさし等を使用せずとも、溝部Ｍ３、Ｍ３´にカッターナイフの刃を挿入して容易かつ美麗に切断することができる。
【００４２】
また、本発明ドレイン排水溝部材の本実施形態において、溝部Ｍ３、Ｍ３´の深さは、張出部３３、３３´が上方向に可動であれば特に限定されないが、前記張出部３３、３３´の安定的な可動という観点から、溝部Ｍ３、Ｍ３´の設ける位置の本発明ドレイン排水溝部材の厚さの６０〜９５％、より好ましくは、前記厚さの７０〜９０％の深さで、設けるのがよい。
【００４３】
さらに、本実施形態において、溝部の底部から本発明ドレイン排水溝部材の底部方向に向かって、前記溝部の幅が広がるように形成すると（図示せず）、張出部の端部が上方及び下方へ可動となり、床下地が平面部のみならず、本発明ドレイン排水溝部材の横方向に上方向に傾きがある場合であっても、下方向に傾きがある場合であっても、無理なく、本発明ドレイン排水溝部材を設置することができる。
【００４４】
また、本発明ドレイン排水溝部材の他の実施形態として、図４に、本発明ドレイン排水溝部材を構成する張出部の端部が下方向に可動となるように、前記張出部と中空状排水路を有する本体部との間に、下方向に向かって溝部が設けられた、一例の断面図を、示す。本発明ドレイン排水溝部材の本実施形態では、中空状排水路４４が設けられている本体部４６と張出部４３、４３´との間に、上方向に向かって溝部Ｍ４、Ｍ４´が形成されている。当該溝部Ｍ４、Ｍ４´により、張出部４３、４３´の端部が下方へ可動となり、床下地が平面部のみならず、本発明ドレイン排水溝部材の床下地の横方向に下方向の傾きがある場合であっても、無理なく、本発明ドレイン排水溝部材を設置することができる。
【００４５】
また、本発明ドレイン排水溝の本実施形態では、例えば、本発明ドレイン排水溝部材を壁面に沿わせて施工する必要があるため、一方の張出部が不要である場合には、金属製のものさし等を使用せずとも、溝部Ｍ４、Ｍ４´にカッターナイフの刃を挿入して容易かつ美麗に切断することができる。
【００４６】
また、本発明ドレイン排水溝部材の本実施形態において、溝部Ｍ４、Ｍ４´の深さは、張出部４３、４３´が下方向に可動であれば特に限定されないが、前記張出部４３、４３´の安定的な可動という観点から、溝部Ｍ４、Ｍ４´の設ける位置の本発明ドレイン排水溝部材の厚さの６０〜９５％、より好ましくは、前記厚さの７０〜９０％の深さで、設けるのがよい。
【００４７】
さらに、本実施形態において、溝部の底部から本発明ドレイン排水溝部材の底部方向に向かって、前記溝部の幅が広がるように形成すると（図示せず）、張出部の端部が上方及び下方へ可動となり、床下地が平面部のみならず、本発明ドレイン排水溝部材の横方向に上方向に傾きがある場合であっても、下方向に傾きがある場合であっても、無理なく、本発明ドレイン排水溝部材を設置することができる。
【００４８】
また、本発明ドレイン排水溝部材の他の実施形態として、本発明ドレイン排水溝部材を構成する一方の張出部の端部が上方向に可動となるように、前記張出部と中空状排水路を有する本体部との間に、上方向に向かって溝部が設けられ、他方の張出部の端部が下方向に可動となるように、前記張出部と中空状排水路を有する本体部との間に、下方向に向かって溝部が設けられていてもよい（図示せず）。
【００４９】
上記のように、一方の張出部の端部が上方向に可動となるため、主として本発明ドレイン排水溝部材の床下地に横方向に上方向に傾きがある場合であっても、無理なく、本発明ドレイン排水溝部材を設置することができ、他方の張出部の端部が下方向に可動となるため、主として本発明ドレイン排水溝部材の床下地に横方向に下方向に傾きがある場合であっても、無理なく、本発明ドレイン排水溝部材を設置することができる。
【００５０】
さらに、本発明ドレイン排水溝部材の他の実施形態として、本発明ドレイン排水溝部材の張出部と本体部との間に設ける溝部を、上下双方向から設け、張出部の少なくとも端部を上下可動な状態にしてもよい。
【００５１】
図５に、本発明ドレイン排水溝の他の実施形態として、張出部の少なくとも端部が上下可動となるように、張出部と本体部との間に設ける溝部を、上下双方向から設けた、一例の断面図を示す。図５に示すように、本発明ドレイン排水溝部材の張出部５３、５３´と本体部５６との間に、上下双方向から溝部Ｍ５、Ｍ５´が設けられている。本実施態様の場合、張出部５３、５３´の端部の上下の可動性は、張出部５３、５３´と本体部５６との間に設けられた溝部Ｍ５、Ｍ５´の間隔と、上下方向に設けられた溝部の底部間の厚さと、に依存することとなる。即ち、張出部５３、５３´と本体部５６との間に設けられた溝部Ｍ５、Ｍ５´の間隔が大きくなるほど、張出部５３、５３´の端部の可動の範囲が大きくなる。また、前記上下方向に設けられた溝部Ｍ５、Ｍ５´の底部間（以下、結合部と記す）の厚さが小さくなるほど、張出部５３、５３´の端部が容易に可動することとなる。
【００５２】
また、本発明ドレイン排水溝部材の上下方向から設けられた溝部Ｍ５、Ｍ５´の各々の底部の位置も、張出部５３、５３´の端部の可動性に影響する。即ち、設けられた溝部Ｍ５、Ｍ５´の各々の底部間での張出部５３、５３´と本体部５６との結合部の位置が上方であるほど、張出部５３、５３´が下方より上方への可動が容易となり、一方、前記結合部の位置が下方であるほど、上方より下方への可動が容易となる。本実施形態においては、溝部Ｍ５、Ｍ５´が形成する張出部５３、５３´と本体部５６との幅、及び、上下方向に設けられた溝部Ｍ５、Ｍ５´の前記結合部の厚さ及び位置を、適宜選択することができる。
【００５３】
本実施形態においては、張出部５３、５３´と本体部５６との間の幅は、０．１ｍｍ〜１０ｍｍが好ましく、さらに好ましくは、０．５ｍｍ〜５ｍｍである。尚、張出部５３、５３´と本体部５６との間の幅は、必ずしも一定幅である必要はなく、上方向若しくは下方向に向かって、又は、上方向及び下方向の双方に向かって、大きくなるように設けてもよい。また、前記結合部の厚さは、張出部５３、５３´の端部の可動性、及び、前記張出部と本体部５６との結合強度、の観点から、０．５ｍｍ〜５ｍｍが好ましく、さらに好ましくは、１ｍｍ〜３ｍｍである。
【００５４】
本発明ドレイン排水溝部材の他の実施形態として、本発明ドレイン排水溝部材の中空状排水路の上面を形成する部分の外部表面（以下、排水路上部外部表面と記す。）が、前記中空状排水路の幅方向に対して両側部方向に向かって下方へ傾斜している傾斜部分を有している。本発明ドレイン排水溝部材において、排水路上部外部表面及び張出部に、傾斜部分を設けることにより、傾斜部分の傾斜角度をより緩やかにし、段差解消による安全性を向上させることができるほか、中空状排水路の容積を拡大することもでき、より多くのドレイン水を効率的に排水することができる。
【００５５】
図６及び図７に、本実施形態の一例の縦断面図を示す。図６及び図７に示すように、本実施形態においては、中空状排水路を設けることによって生じる段差を解消するための傾斜部分を形成する部分は、張出部のみに限られず、前記排水路上部外部表面にも前記傾斜部分が設けられていてもよい。
【００５６】
本発明ドレイン排水溝部材に設けられる傾斜部分は、下方に向かっていればよく、必ずしも断面直線状である必要はない。例えば、図６に示すように、排水路上部外部表面６１から断面湾曲状の傾斜部分６２、６２´が設けられ、張出部６３、６３´には、前記排水路上部外部表面６１から断面湾曲状の傾斜部分から断面直線状の傾斜部分が設けられている。当該実施形態により、傾斜部分の角度がより緩やかにすることができ、特に後述する本発明ドレイン排水溝部材を覆うように床材を設置した場合に顕著な効果がある。
【００５７】
また、図７に示すように、排水路上部外部表面７１の幅方向に対して略中心の位置から、張出部７３、７３´に、断面直線状の傾斜部分７２、７２´が形成されている。本実施形態により、中空状排水路を設けることによって生じた段差を解消するために形成された傾斜部分７２、７２´の傾斜が、より緩やかになり、床下地に設置した場合には、より歩行時の安全性を向上させることができる。また、排水路上部外部表面に形成する傾斜部分は、必ずしも前記排水路上部外部表面７１の幅方向に対して略中心にある必要はなく、前記傾斜部分を所望の傾斜角にする観点から、何れか一方に傾斜部分の開始部分が偏っていてもよい。
【００５８】
さらに、図８に、本発明ドレイン排水溝部材の他の実施形態として、断面湾曲状の傾斜部分が形成された、一例のドレイン排水溝部材の断面図を示す。図８に示すように、傾斜部分８２、８２´を断面湾曲状に形成することにより、傾斜部分８２、８２´の傾斜をより緩やかにすることができるほか、後述する本発明ドレイン排水溝部材を覆うように床材を設置した場合、床材、とりわけ、床シートのように可撓性に富んだ床材の場合には、本発明ドレイン排水溝部材と床材との貼着安定性を向上させることもできる。
【００５９】
また、本発明ドレイン排水溝部材の他の実施形態は、前記張出部に、前記中空状排水路の底面を形成する部分の外部表面と略同一平面に位置する面を有する。本実施形態においては、本発明ドレイン排水溝部材を床下地に設置した場合の設置安定性の見地から、前記張出部が中空状排水路の底面を形成する部分の外部表面（以下、排水路底部外部表面と記す。）と略同一平面に位置する面を有するように設けてある。
【００６０】
図９に、本発明ドレイン排水溝部材の他の実施形態として、張出部に、排水路底部外部表面と略同一平面に位置する面を有する、一例のドレイン排水溝部材の断面図を示す。図９に示すように、本発明ドレイン排水溝部材の張出部９３、９３´の裏面の少なくとも一部は、前記排水路底部外部表面９５と略同一平面状に位置する面を有している。当該張出部の裏面によって、本発明ドレイン排水溝部材の床下地への設置安定性を向上させることができる。
【００６１】
また、本実施形態においては、張出部９３、９３´の裏面の全部が必ずしも排水路底部外部表面と同一平面状に位置することは必要ではなく、本発明ドレイン排水溝部材の床下地への設置安定性が確保できれば、排水路底部外部表面と同一平面状に位置する張出部９３、９３´の裏面の一部であってもよい。さらに、図９に示す実施形態では、本発明ドレイン排水溝部材が床下地に設置された場合に生じる、張出部９３、９３´の裏面と前記床下地とによって形成される空洞部９７、９７´に、別途ドレインホース、電線等を、挿設することができ、非常に有用である。
【００６２】
本発明ドレイン排水溝部材の他の実施形態として、排水路底部外部表面、及び／又は、前記張出部の裏面の、少なくとも一部に、凹部及び／又は凸部が形成されていてもよい。図１０に、本発明ドレイン排水溝の他の実施形態として、排水路底部外部表面及び前記張出部の裏面に、凹部及び凸部が形成されている、一例のドレイン排水溝部材の断面図を示す。図１０に示すように、排水路底部外部表面１０５及び前記張出部の裏面に、凹部１０９及び凸部１０８が形成されている。本発明ドレイン排水溝部材１０１は、床下地に、接着剤又は粘着剤によって貼着することで設置する際に、前記凸部１０８によって床下地と貼着され、前記凹部１０９に、余分な接着剤又は粘着剤が入り込み、当該凹部１０９の表面と床下地が貼着されることとなり、施工時に余分な接着剤又は粘着剤がはみ出したりすることがないため、効率的に貼着作業を行うことができる。
【００６３】
また、本発明ドレイン排水溝部材の裏面に設けられた凹部１０９により、張出部の横方向の可撓性が大きくなり、床下地への追従性が向上する。さらに、前記凹部によって形成される空間に、軽微な床下地の凹凸、即ち不陸を入り込ませることができるため、不陸による凹凸による影響が、本発明ドレイン排水溝部材には発生しにくく、美麗な施工状態を実現することができる。また、本実施形態においては、本発明ドレイン排水溝部材の裏面に設ける凹部及び凸部を、前記裏面全面に設けてもよいし、例えば、張出部裏面のみというように一部分にのみ設けてもよい。
【００６４】
また、本発明は、床材と、ドレインホースからのドレイン水を受けて流して排水するための、ドレイン排水溝部材とが、設置された、ドレイン排水床構造において、ドレイン水を流すための長手方向に延びた中空状排水路を有し、かつ、前記中空状排水路の少なくとも一方の側部には横方向に張り出した張出部が形成されており、前記張出部が、横方向に向かって下方へ傾斜する傾斜部分を有することを特徴とする、ドレイン排水溝部材が、床下地に設置され、前記ドレイン排水溝部材を覆うように床材が設けられたことを特徴とする、ドレイン排水床構造を、提供する。
【００６５】
図１１に、本発明床構造の一例の断面図を示す。図１１に示すように、床下地Ｇ１１上に、ドレイン排水溝部材を覆うように、床材Ｆ１１が、貼着剤Ｓ１１、Ｓ１１´によって貼着されている。
【００６６】
本発明ドレイン排水溝部材を床材で覆う状態となるので、施工上の観点から、床材としては、例えば、可撓性の富んだ熱可塑性樹脂、又は熱可塑性エラストマーからなるシート、又はタイルが、好ましい。また、貼着剤Ｓ１１、Ｓ１１´は、本発明ドレイン排水溝部材と床下地Ｇ１１との間、本発明ドレイン排水溝部材と床材Ｆ１１との間、及び床材Ｆ１１と床下地Ｇ１１との間に、設けられている。貼着安定性の観点から、図１１に示すように各々に貼着剤を設けた方が好ましいが、実際の使用条件、即ち、例えば、歩行量が僅少であるなど穏やかな使用条件の場合は、本発明ドレイン排水溝部材と床下地Ｇ１１との間、本発明ドレイン排水溝部材と床材Ｆ１１との間、床材Ｆ１１と床下地Ｇ１１との間に、設けられている貼着剤の、何れか一又は二以上を省略してもよい。
【００６７】
本発明ドレイン排水溝構造は、前記ドレイン排水溝部材を覆うように床材を設置するため、ドレイン排水溝部材との段差を有効に解消することができる。また、前記ドレイン排水溝部材が床面に露出しないため、床材の有する意匠を損なうことがなく、床材の有する意匠如何に関わらず前記ドレイン排水溝部材を設置することもできる。
【００６８】
本発明ドレイン排水床構造の他の実施形態として、前記張出部の端部が上方向及び／又は下方向に可動となるように、前記張出部と中空状排水路を有する本体部との間に溝部を設けた、ドレイン排水溝部材を、覆うように、床材を設置してもよい。
【００６９】
図１２に、本発明ドレイン排水床構造の他の実施形態として、床下地の一方が斜め上方向に傾斜している、一例の本発明ドレイン排水床構造の断面図を示す。ドレイン排水溝部材の張出部と本体部との間には、上方向に向かって溝部Ｍ１２、Ｍ１２´が設けられているため、図１２に示す断面図の、向かって右側の張出部の先端が上方向に移動し、斜め上方に傾斜している床下地にも無理なく安定的に設置することができる。
【００７０】
また、図１２に示すように、ドレイン排水溝部材と床材との間、ドレイン排水溝部材と床下地との間、及びドレイン排水溝部材に設けられた溝部Ｍ１２、Ｍ１２´が、貼着剤Ｓ１２、Ｓ１２´によって貼着されている。但し、歩行量等の使用条件によっては、ドレイン排水溝部材と床材との間、ドレイン排水溝部材と床下地との間、ドレイン排水溝部材に設けられた溝部Ｍ１２、Ｍ１２´、及び床材Ｆ１２と床下地Ｇ１２との間、のうちの何れか一又は二以上の箇所の貼着剤による貼着を、必ずしもする必要がない。特に、溝部Ｍ１２、Ｍ１２´に充填する貼着剤Ｓ１２は、張出部が床下地と十分に貼着されていれば必ずしも必要でない場合が多い。
【００７１】
本発明ドレイン排水床構造によれば、前記ドレイン排水溝部材の張出部と本体部との間に、溝部が、前記張出部の少なくとも端部が可動となるように設けられているため、前記ドレイン排水溝部材を設置する際に、図１２で示すような床下地に上方向に向かう傾斜が存在している場合でも、前記ドレイン排水溝部材を安定的に設置することができ、加えて、前記ドレイン排水溝部材を覆うように床材が設置されることから、床材の設置後の床面にも違和感を生じることなく、ドレイン排水溝部材を設置することができる。
【００７２】
また、本発明ドレイン排水床構造の他の実施形態として、前記ドレイン排水溝部材の前記排水路上部外部表面が、前記中空状排水路の幅方向に対して両側部方向に向かって下方へ傾斜している傾斜部分を有する、ドレイン排水溝部材を、覆うように、床材を設置してもよい。
【００７３】
図１３に、本発明ドレイン排水床構造の他の実施形態として、排水路上面外部表面及び張出部に、傾斜部分を形成した、ドレイン排水溝部材と床材とを設置した、一例の断面図を示す。図１３に示すように、床下地Ｇ１３に設置されたドレイン排水溝部材には、排水路上面外部表面及び張出部１３３、１３３´の双方に、傾斜部分１３２、１３２´が形成されており、前記ドレイン排水溝部材の上部には床材Ｆ１３が設置されている。
【００７４】
図１３に示すように、床下地Ｇ１３と床材Ｆ１３との間、前記ドレイン排水溝部材と床下地Ｇ１３との間、及び前記ドレイン排水溝部材と床材Ｆ１３との間が、貼着剤Ｓ１３，Ｓ１３´によって貼着されている。但し、歩行量等の使用条件によっては、ドレイン排水溝部材と床材との間、及び、ドレイン排水溝部材と床下地との間、のうちの何れか一又は二以上の箇所の貼着剤による貼着を、必ずしもする必要がない。
【００７５】
本発明ドレイン排水床構造では、前記ドレイン排水溝部材の排水路上面外部表面及び張出部１３３、１３３´の双方に、傾斜部分１３２、１３２´が形成されているため、前記傾斜部分１３２、１３２´の傾斜角度がより小さくなり、歩行面での安全性を向上させることができ、加えて、床材Ｆ１３の表面に生じる隆起状態を前記ドレイン排水溝部材によって緩和することができるため、意匠上の観点からも有用である。
【００７６】
本発明ドレイン排水床構造の他の実施形態として、前記ドレイン排水溝部材の張出部に前記排水路底部外部表面と略同一平面に位置する面を有する、ドレイン排水溝部材に、床材を覆うように設置してもよい。
【００７７】
図１４に、本発明ドレイン排水床構造の他の実施形態として、前記ドレイン排水溝部材の張出部に前記排水路底部外部表面と略同一平面に位置する面を有する、ドレイン排水溝部材に、床材を覆うように設置した、一例のドレイン排水溝床構造の断面図を示す。図１４に示すように、前記ドレイン排水溝部材を構成する張出部１４３、１４３´は、排水路底部外部表面と略同一平面に位置する面を有している。張出部の裏面に形成される排水路底部外部表面と略同一平面に位置する面は、図１４に示すように、前記張出部の少なくとも一部分に設けられていればよく、必ずしも、張出部の全面に形成する必要はない。
【００７８】
また、図１４に示すように、床下地Ｇ１４と張出部１４３、１４３´の裏面との間に空洞（以下、張出部裏面空洞部と記す。）１４７、１４７´が形成されるようにすれば、当該張出部裏面空洞部１４７、１４７´に、例えば、他のドレインホース、又はドレインホースに代わる部材、並びに電線等を、通すことができ、構造上非常に有用である。
【００７９】
また、図１４に示すように、床下地Ｇ１４と床材Ｆ１４との間、前記ドレイン排水溝部材と床下地Ｇ１４との間、及び前記ドレイン排水溝部材と床材Ｆ１４との間が、貼着剤Ｓ１４，Ｓ１４´によって貼着されている。但し、歩行量等の使用条件によっては、ドレイン排水溝部材と床材との間、及び、ドレイン排水溝部材と床下地との間、のうちの何れか一又は二以上の箇所の貼着剤による貼着を、必ずしもする必要がない。
【００８０】
本発明ドレイン排水床構造の他の実施形態として、前記ドレイン排水溝部材の前記排水路底部外部表面及び／又は前記張出部の裏面の、少なくとも一部に、凹部及び凸部が形成されている、ドレイン排水溝部材を、覆うように、床材を設置してもよい。
【００８１】
図１５に、本発明ドレイン排水床構造の他の実施形態として、ドレイン排水溝部材の前記排水路底部外部表面及び前記張出部の裏面に、凹部及び凸部が形成されている、ドレイン排水溝部材と、床材と、が設置された、一例のドレイン排水溝床構造の断面図を示す。ドレイン排水溝部材の張出部裏面及び前記排水路底部外部表面に、凹部１５９及び凸部１５８が設けられている。床材Ｆ１５と床下地Ｇ１５との間、床材Ｆ１５とドレイン排水溝部材との間、及びドレイン排水溝部材と床下地Ｇ１５との間が、貼着剤Ｓ１５、Ｓ１５´によって貼着されている。
【００８２】
図１５に示すように、ドレイン排水溝部材を貼着剤で貼着する際、前記貼着剤の過剰塗布があった場合でも、ドレイン排水溝部材裏面の凹部１５９に前記貼着剤が入り込むため、貼着剤のはみだし現象や、塗布した貼着剤がドレイン排水溝部材の貼着面に十分に広がらない、といった問題が生じることがない。但し、歩行量等の使用条件によっては、ドレイン排水溝部材と床材との間、及び、ドレイン排水溝部材と床下地との間、のうちの何れか一又は二以上の箇所の貼着剤による貼着を、必ずしもする必要がない。
【産業上の利用可能性】
【００８３】
本発明ドレイン排水溝部材は、ドレイン水を円滑に導水することができるほか、段差を生じず安全性の富んだものであり、また、本発明ドレイン排水床構造は、ドレイン排水溝部材が床面に露出しないため、床面全体の意匠性を損なわないので、産業上の利用価値はきわめて高いものである。
【図面の簡単な説明】
【００８４】
【図１】本発明ドレイン排水溝部材の一例の断面図を示す。
【図２】本発明ドレイン排水溝部材の他の実施形態として、張出部を接合した状態の断面図を示す。
【図３】本発明ドレイン排水溝部材を構成する張出部の端部が上方向に可動となるように、前記張出部と中空状排水路を有する本体部との間に上方向に向かって溝部が設けられた、一例の断面図を示す。
【図４】本発明ドレイン排水溝部材を構成する張出部の端部が上方向に可動となるように、前記張出部と中空状排水路を有する本体部との間に下方向に向かって溝部が設けられた、一例の断面図を示す。
【図５】本発明ドレイン排水溝の他の実施形態として、張出部の少なくとも端部が上下可動となるように、張出部と本体部との間に設ける溝部を上下双方向から設けた、一例の断面図を示す。
【図６】本発明ドレイン排水溝部材の他の実施形態として、本発明ドレイン排水溝部材の排水路上部外部表面が、前記中空状排水路の幅方向に対して両側部方向に向かって下方へ傾斜している傾斜部分を有している、一例の断面図を示す。
【図７】本発明ドレイン排水溝部材の他の実施形態として、本発明ドレイン排水溝部材の排水路上部外部表面が、前記中空状排水路の幅方向に対して両側部方向に向かって下方へ傾斜している傾斜部分を有している、他の一例の断面図を示す。
【図８】本発明ドレイン排水溝部材の他の実施形態として、断面湾曲状の傾斜部分が形成された、一例のドレイン排水溝部材の断面図を示す。
【図９】本発明ドレイン排水溝部材の他の実施形態として、張出部に、排水路底部外部表面と略同一平面に位置する面を有する、一例のドレイン排水溝部材の断面図を示す。
【図１０】本発明ドレイン排水溝の他の実施形態として、排水路底部外部表面及び前記張出部の裏面に、凹部及び凸部が形成されている、一例のドレイン排水溝部材の断面図を示す。
【図１１】本発明床構造の一例の断面図を示す。
【図１２】本発明ドレイン排水床構造の他の実施形態として、床下地の一方が斜め上方向に傾斜している、一例の本発明ドレイン排水床構造の断面図を示す。
【図１３】本発明ドレイン排水床構造の他の実施形態として、排水路上面外部表面及び張出部に、傾斜部分を形成した、ドレイン排水溝部材と、床材と、を設置した、一例の断面図を示す。
【図１４】本発明ドレイン排水床構造の他の実施形態として、前記ドレイン排水溝部材の張出部に、前記排水路底部外部表面と略同一平面に位置する面を有する、ドレイン排水溝部材に、床材を覆うように設置した、一例のドレイン排水溝床構造の断面図を示す。
【図１５】本発明ドレイン排水床構造の他の実施形態として、ドレイン排水溝部材の前記排水路底部外部表面及び前記張出部の裏面に、凹部及び凸部が形成されている、ドレイン排水溝部材と床材が設置された、一例のドレイン排水溝床構造の断面図を示す。
【符号の説明】
【００８５】
１、２１：本発明ドレイン排水溝部材
２、２´、２２、２２´、３２、３２´、４２、４２´、５２、５２´、６２、６２´、
７２、７２´、８２、８２´、９２、９２´、１０２、１０２´、１１２、１１２´、１
３２、１３２´、１４２、１４２´、１５２、１５２´：傾斜部分
３、３´、２３、２３´、３３、３３´、４３、４３´、５３、５３´、６３、６３´、
７３、７３´、８３、８３´、１１３、１１３´、１３３、１３３´：張出部
４、２４、３４、４４、５４、６４、７４、８４、９４、１０４、１１４、１２４、１３
４、１４４：中空状排水路
５、２５、３５、４５、５５、６５、７５、８５、９５：排水路底部外部表面
３６、４６：本体部
６１、７１、９１：排水路上部外部表面
９３、９３´：張出部裏面
９７、９７´、：空洞部
１０８、１５８：凸部
１０９、１５９：凹部
１４７、１４７´：張出部裏面空洞部
Ｆ１１、Ｆ１２、Ｆ１３、Ｆ１４、Ｆ１５：床材
Ｇ１１、Ｇ１２、Ｇ１３、Ｇ１４：床下地
Ｍ３、Ｍ３´、Ｍ４、Ｍ４´Ｍ５、Ｍ５´、Ｍ１２、Ｍ１２´：溝部
Ｐ２、Ｐ２´：接合部
Ｓ１１、Ｓ１１´，Ｓ１２、Ｓ１２´、Ｓ１３、Ｓ１３´、Ｓ１４、Ｓ１４´、Ｓ１５、
Ｓ１５´：貼着剤